(57)【要約】【課題】両手がふさがっているようなときでも良好に操作することができる引き戸用錠を提供すること。【解決手段】ケーシング２に中間部が揺動可能に軸支され、その背面側に作用片３１を有する揺動操作部３と、この揺動操作部３の揺動を阻止するシリンダ錠４と、揺動操作部３の作用片３１と係合し、揺動操作部３の揺動により摺動する摺動部材５と、この摺動部材５の摺動により揺動操作されるフック片６とを備え、摺動部材５にラック５１を形成するとともに、ラック５１と噛合する歯車６１をフック片６の基部に設けてる。【選択図】  図１
2005016001.tif 000002
【特許請求の範囲】
【請求項１】
ケーシングに中間部が揺動可能に軸支され、その背面側に作用片を有する揺動操作部と、揺動操作部の作用片と係合し、該揺動操作部の揺動により摺動する摺動部材と、該摺動部材の摺動により揺動操作されるフック片とを備え、前記摺動部材にラックを形成するとともに、該ラックと噛合する歯車を前記フック片の基部に設けたことを特徴とする引き戸用錠。
【請求項２】
前記ケーシングを揺動操作部の軸方向に二分割される分割体により構成し、該分割体を一体に固定するビスを前記フック片の揺動軸としたことを特徴とする請求項１記載の引き戸用錠。
【発明の詳細な説明】
【０００１】
【発明の属する技術分野】
本発明は、例えば、物置などに取り付けられる引き戸用錠に関し、特に、引き戸が勝手に開かないように仮止めをする引き戸用錠において、両手がふさがっているようなときでも良好に操作することができる引き戸用錠に関するものである。
【０００２】
【従来の技術】
従来、物置等に取り付ける引き戸は、その構造が簡単であるため、これに相応した簡単な構造の取手を引き戸の所定位置に取り付け、この取手に指を引っかけるようにして引き戸を開閉するようにし、この取手とは別に錠を設けるようにしている。
【０００３】
このような物置等に取り付ける従来の引き戸用錠には、例えば、回転つまみやシリンダ錠のキーを操作することにより揺動操作されるフック片を備えたものがある。
この引き戸用錠は、回転つまみやキーを操作することにより揺動操作したフック片を、他の引き戸や物置本体に係合させ、引き戸が容易に開放されないように仮止めすることができる。
【０００４】
【発明が解決しようとする課題】
しかしながら、上記従来の引き戸用錠は、回転つまみやキーを回転操作しなければ、フック片を係合させたり解除したりすることができず、荷物などで両手がふさがっているようなときは引き戸を開け閉めすることができないという問題を有している。
【０００５】
本発明は、上記従来の引き戸用錠が有する問題点に鑑み、両手がふさがっているようなときでも良好に操作することができる引き戸用錠を提供することを目的とする。
【０００６】
【課題を解決するための手段】
上記目的を達成するため、本発明の引き戸用錠は、ケーシングに中間部が揺動可能に軸支され、その背面側に作用片を有する揺動操作部と、揺動操作部の作用片と係合し、該揺動操作部の揺動により摺動する摺動部材と、該摺動部材の摺動により揺動操作されるフック片とを備え、前記摺動部材にラックを形成するとともに、該ラックと噛合する歯車を前記フック片の基部に設けたことを特徴とする。
【０００７】
この引き戸用錠は、ケーシングに中間部が揺動可能に軸支され、その背面側に作用片を有する揺動操作部と、揺動操作部の作用片と係合し、該揺動操作部の揺動により摺動する摺動部材と、該摺動部材の摺動により揺動操作されるフック片とを備え、前記摺動部材にラックを形成するとともに、該ラックと噛合する歯車を前記フック片の基部に設けることから、両手がふさがっているようなときでも、手や肘で押すことにより揺動操作部を操作することができ、これにより、摺動部材やラック、歯車を介してフック片を揺動操作し、該フック片を係合させたり解除したりして引き戸を開け閉めすることができる。
【０００８】
この場合において、前記ケーシングを揺動操作部の軸方向に二分割される分割体により構成し、該分割体を一体に固定するビスを前記フック片の揺動軸とすることができる。
【０００９】
これにより、引き戸用錠の構造を簡略にして、製造工数や製造コストを低減することができる。
【００１０】
【発明の実施の形態】
以下、本発明の引き戸用錠の実施の形態を図面に基づいて説明する。
【００１１】
図１〜図７に、本発明の引き戸用錠の一実施例を示す。
【００１２】
この引き戸用錠１は、例えば、閉戸時、２枚の引き戸が互いに重なる部分において、外側の引き戸Ｄ１に嵌合するように取り付けるもので、ケーシング２に中間部が揺動可能に軸支され、その背面側に作用片３１を有する揺動操作部３と、該揺動操作部３の揺動を阻止するシリンダ錠４と、揺動操作部３の作用片３１と係合し、該揺動操作部３の揺動により摺動する摺動部材５と、該摺動部材５の摺動により揺動操作されるフック片６とを備え、前記摺動部材５にラック５１を形成するとともに、該ラック５１と噛合する歯車６１を前記フック片６の基部に設けている。
【００１３】
そして、この引き戸用錠１は、フック片６を揺動操作することにより、このフック片６を内側の引き戸Ｄ２に形成した係止孔等の係止部（図示省略）に係止して、２枚の引き戸が容易に開放されないように仮止めしたり、施錠をしたりすることができる。
【００１４】
ケーシング２は、揺動操作部３の軸方向に二分割される分割体２１により構成されており、該分割体２１を一体に固定するビスの１つが、前記フック片６の揺動軸６２として使用されている。
これにより、引き戸用錠１の構造を簡略にして、製造工数や製造コストを低減している。
なお、ケーシング２の表側には、図６に示すようなカバー７が装着されている。
【００１５】
揺動操作部３は、ケーシング２の表側に設けられた軸３２により枢支されており、図１に示すように、上半部３ａを押し込んだ状態でフック片６が他の引き戸に係合し、下半部３ｂを押し込んだ状態でフック片６の係合が解除される。
また、この揺動操作部３は背面側に作用片３１を有し、該作用片３１の先端は摺動部材５と係合している。作用片３１は揺動操作部３の揺動により上下移動し、摺動部材５を上下移動させることができる。
【００１６】
シリンダ錠は、揺動操作部３の上半部３ａに固定されており、キー操作によりケーシング２の一部に係合し、揺動操作部３の上半部３ａを押し込んだ位置で固定することにより、フック片６の係合解除を阻止して施錠することができる。
【００１７】
摺動部材５は、ケーシング２の背面側に上下移動可能に嵌挿されており、揺動操作部３の揺動により、作用片３１を介して上下移動することができる。
摺動部材５の先端部には、フック片６の歯車６１と噛合するラック５１が形成されており、図１に示すように、摺動部材５の上下移動により、ラック５１と歯車６１を介してフック片６を揺動させることができる。
【００１８】
フック片６は、基部に歯車６１が設けられた略Ｌ字形のものからなり、図１に示すように、摺動部材５の上下移動により、ラック５１と歯車６１を介して略９０°揺動することができる。
また、フック片６の基部には凹部６３が設けられており、係合位置と解除位置でケーシング２のラッチボール２２が嵌合することにより、各位置で安定した姿勢を保持することができる。
【００１９】
かくして、本実施例の引き戸用錠は、ケーシング２に中間部が揺動可能に軸支され、その背面側に作用片３１を有する揺動操作部３と、揺動操作部３の作用片３１と係合し、該揺動操作部３の揺動により摺動する摺動部材５と、該摺動部材５の摺動により揺動操作されるフック片６とを備え、前記摺動部材５にラック５１を形成するとともに、該ラック５１と噛合する歯車６１を前記フック片６の基部に設けることから、両手がふさがっているようなときでも、手や肘で押すことにより揺動操作部３を操作することができ、これにより、摺動部材５やラック５１、歯車６１を介してフック片６を揺動操作し、該フック片６を係合させたり解除したりして引き戸を開け閉めすることができる。
【００２０】
以上、本発明の実施例を説明したが、本発明の引き戸用錠は、この実施例の記載に限定されるものではなく、その趣旨を逸脱しない範囲において適宜に変更することが可能である。
例えば、上記実施例においては２枚の引き戸を例に説明したが、本発明の引き戸用錠は１枚や３枚以上の引き戸にも適用することも可能である。
【００２１】
【発明の効果】
本発明の引き戸用錠によれば、ケーシングに中間部が揺動可能に軸支され、その背面側に作用片を有する揺動操作部と、揺動操作部の作用片と係合し、該揺動操作部の揺動により摺動する摺動部材と、該摺動部材の摺動により揺動操作されるフック片とを備え、前記摺動部材にラックを形成するとともに、該ラックと噛合する歯車を前記フック片の基部に設けることから、両手がふさがっているようなときでも、手や肘で押すことにより揺動操作部を操作することができ、これにより、摺動部材やラック、歯車を介してフック片を揺動操作し、該フック片を係合させたり解除したりして引き戸を開け閉めすることができる。
【００２２】
この場合、前記ケーシングを揺動操作部の軸方向に二分割される分割体により構成し、該分割体を一体に固定するビスを前記フック片の揺動軸とすることにより、引き戸用錠の構造を簡略にして、製造工数や製造コストを低減することができる。
【図面の簡単な説明】
【図１】本発明の引き戸用錠の一実施例を示し、（ａ）はフック片の係合状態を示す断面図、（ｂ）はフック片の解除状態を示す断面図である。
【図２】同引き戸用錠の３面図である。
【図３】揺動操作部とシリンダ錠を示し、（ａ）はシリンダ錠の正面図、（ｂ）は同側面図、（ｃ）は背面図、（ｄ）はシリンダ錠の平面図、（Ｅ）は同正面図である。
【図４】ケーシングを示し、（ａ）は正面図、（ｂ）は平面図、（ｃ）はＸ−Ｘ線断面図、（ｄ）は底面図、（ｅ）は左側面図、（ｆ）は右側面図である。
【図５】ケーシングの分割体を示し、（ａ）は正面図、（ｂ）は右側面図、（ｃ）は平面図、（ｅ）は（ｃ）を右から見た図である。
【図６】カバーを示し、（ａ）は平面図、（ｂ）は正面図、（ｃ）は底面図、（ｄ）は側面図である。
【図７】本発明の引き戸用錠を引き戸に取り付けた状態を示す説明図である。
【符号の説明】
１    錠本体
２    ケーシング
２１  分割体
２２  ラッチボール
３    揺動操作部
３１  作用片
３２  軸
３ａ  上半部
３ｂ  下半部
４    シリンダ錠
５    摺動部材
５１  ラック
６    フック片
６１  歯車
６２  揺動軸
６３  凹部
７    カバー
【図１】
2005016001.tif 000003
【図２】
2005016001.tif 000004
【図３】
2005016001.tif 000005
【図４】
2005016001.tif 000006
【図５】
2005016001.tif 000007
【図６】
2005016001.tif 000008
【図７】
2005016001.tif 000009